(57)【要約】【課題】ユーザ操作による停止信号を受け付けた場合であっても、ウェブが無駄になることを防止する。【解決手段】長尺状のウェブを印刷媒体として搬送する搬送部２２と、印刷ジョブに含まれる画像データに基づいて、搬送部２２により搬送されるウェブに対してインクで印字することにより連続的に画像を印刷する第１印刷部２３および第２印刷部２４と、ユーザ操作による停止信号を受け付ける操作パネル２６と、操作パネル２６により停止信号を受け付けたときに、現在印刷中の印刷ジョブの終了まで搬送部２２による搬送および第１印刷部２３および第２印刷部２４による印刷を継続する印刷装置制御部２５と、備える。【選択図】図２
2020049781.tif 000002
【特許請求の範囲】
【請求項１】
長尺状のウェブを印刷媒体として搬送する搬送手段と、
印刷ジョブに含まれる画像データに基づいて、前記搬送手段により搬送されるウェブに対して印字することにより連続的に画像を印刷する印刷手段と、
ユーザ操作による停止信号を受け付ける信号受付手段と、
前記信号受付手段により停止信号を受け付けたときに、現在印刷中の前記印刷ジョブの終了まで前記搬送手段による搬送および前記印刷手段による印刷を継続する印刷制御手段と、
を備えたことを特徴とするウェブ印刷装置。
【請求項２】
前記印刷制御手段は、
前記信号受付手段により停止信号を受け付けた時点における前記ウェブおよび消耗材の残量で前記印刷ジョブの終了まで印刷可能な場合に、現在印刷中の前記印刷ジョブの終了まで前記搬送手段による搬送および前記印刷手段による印刷を継続する
ことを特徴とする請求項１記載のウェブ印刷装置。
【請求項３】
前記印刷制御手段は、
前記印刷手段により前記印刷ジョブに含まれる画像データの最終ページの印字領域の印刷が完了すると、前記搬送手段による搬送の停止処理を開始する
ことを特徴とする請求項１または２記載のウェブ印刷装置。
【請求項４】
前記印刷制御手段は、
前記印刷手段により前記印刷ジョブに含まれる画像データの最終ページの印字領域の印刷が完了したときに前記搬送手段による搬送速度がゼロとなるように、前記搬送手段による前記印刷媒体の搬送が減速し始めてから搬送停止するまでの間、前記搬送手段の減速に応じて前記印刷手段に印刷を継続させる
ことを特徴とする請求項１または２に記載のウェブ印刷装置。
【発明の詳細な説明】
【技術分野】
【０００１】
本発明は、長尺状のウェブを印刷媒体として搬送しつつ、ウェブにインクを吐出して印刷するウェブ印刷装置に関する。
【背景技術】
【０００２】
長尺状のウェブを印刷媒体として搬送しつつ、印刷ジョブに含まれる画像データに基づいて、搬送されるウェブに連続的に画像を印刷するウェブ印刷装置が知られている。
【０００３】
一般的に、ウェブ印刷装置は、ユーザ操作による一時停止を受け付ける機能を有している場合が多い。
【０００４】
例えば、特許文献１には、ロール紙等の長尺状の被印刷媒体を用いる電子写真方式のラベルプリンタにおいて、連続印刷中に、一時停止指示がありか否かを判断することが開示されている。
【先行技術文献】
【特許文献】
【０００５】
【特許文献１】特開２０１４−５２４３３号公報
【発明の概要】
【発明が解決しようとする課題】
【０００６】
しかしながら、ユーザ操作による停止信号を受け付けると直ぐに、ウェブの搬送停止動作を行うと、印刷途中の画像がページ途中となるので、この途中のページは廃棄して再度印刷する必要がある。そのため、印刷途中の画像のウェブが無駄になる。
【０００７】
また、停止信号を受けてから直ぐにウェブの搬送停止の動作を始めたとしても、停止信号を受けてから実際にウェブの搬送が停止するまでウェブは搬送されてしまうので、その間に搬送されたウェブが無駄となる。
【０００８】
さらに、再度、印刷を再開する際、ウェブの搬送を開始してから印刷可能な搬送速度に達するまで所定の時間が必要であり、この間に搬送されたウェブが無駄となる。
【０００９】
停止信号を受けてから搬送停止するまでに搬送されたウェブと、開始信号を受けてから搬送が所定の搬送速度に達するまでに搬送されたウェブとを無駄にしないように、印刷再開時に、印刷途中の画像のウェブの下流位置に逆搬送することも考えられるが、印刷を再開する位置合わせが困難であり、また逆搬送するための切り替え機構などが必要となる搬送機構が複雑化する。
【００１０】
そのため、ユーザ操作による停止信号を受け付けると直ぐにウェブの搬送停止動作を行うと、印刷途中の画像のウェブと、停止信号を受けてから搬送停止するまでに搬送されたウェブと、開始信号を受けてから搬送が所定の搬送速度に達するまでに搬送されたウェブとが無駄となってしまう。
【００１１】
本発明は前記事情に鑑みなされたものであり、本発明の目的は、ユーザ操作による停止信号を受け付けた場合であっても、ウェブが無駄になることを防止するウェブ印刷装置を提供することにある。
【課題を解決するための手段】
【００１２】
上記目的を達成するため、本発明に係るウェブ印刷装置の特徴は、
長尺状のウェブを印刷媒体として搬送する搬送手段と、
印刷ジョブに含まれる画像データに基づいて、前記搬送手段により搬送されるウェブに対してインクで印字することにより連続的に画像を印刷する印刷手段と、
ユーザ操作による停止信号を受け付ける信号受付手段と、
前記信号受付手段により停止信号を受け付けたときに、現在印刷中の前記印刷ジョブの終了まで前記搬送手段による搬送および前記印刷手段による印刷を継続する印刷制御手段と、を備えたことにある。
【発明の効果】
【００１３】
本発明に係るウェブ印刷装置の特徴によれば、ユーザ操作による停止信号を受け付けた場合であっても、ウェブが無駄になることを防止することができる。
【図面の簡単な説明】
【００１４】
【図１】本発明の第１実施形態に係るウェブ印刷装置を備えた印刷システムの概略構成図である。
【図２】図１に示す印刷システムの制御ブロック図である。
【図３】（ａ）は、比較のために、従来技術において、ユーザ操作による停止信号を受け付けた場合の搬送および印刷動作を示した図であり、（ｂ）は、従来技術において、ユーザ操作による停止信号を受け付けた場合のウェブの状態を示した図である。
【図４】（ａ）は、本発明の第１実施形態に係る印刷システムにおいて、ユーザ操作による停止信号を受け付けた場合の搬送および印刷動作を示した図であり、（ｂ）は、本発明の第１実施形態に係る印刷システムにおいて、ユーザ操作による停止信号を受け付けた場合のウェブの状態を示した図である。
【図５】本発明の第１実施形態に係る印刷システムの処理内容を示したフローチャートである。
【図６】本発明の第２実施形態に係る印刷システムの処理内容を示したフローチャートである。
【図７】（ａ）は、本発明の第３実施形態に係る印刷システムにおいて、印刷ジョブが終了したときの画像データを示しており、（ｂ）は、印刷ジョブが終了したときの搬送速度を示している。
【発明を実施するための形態】
【００１５】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１６】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１７】
＜第１実施形態＞
図１は、本発明の第１実施形態に係るウェブ印刷装置を備えた印刷システムの概略構成図である。図２は、図１に示す印刷システムの制御ブロック図である。なお、以下の説明において、図１の紙面に直交する方向を前後方向とし、紙面表方向を前方とする。また、図１における紙面の上下左右を上下左右方向とする。
【００１８】
図１、図２に示すように、本発明の第１実施形態に係る印刷システム１は、巻出装置２と、ウェブ印刷装置３と、巻取装置４とを備える。
【００１９】
巻出装置２は、フィルム、紙等からなる長尺状の印刷媒体であるウェブＷをウェブ印刷装置３へ巻き出す。巻出装置２は、ウェブロール支持軸１１と、ブレーキ１２と、巻出装置制御部１３とを備える。
【００２０】
ウェブロール支持軸１１は、ウェブロール１６を回転可能に支持する。ウェブロール支持軸１１は、前後方向に延びる長尺状に形成されている。ウェブロール１６は、ウェブＷがロールされたものである。
【００２１】
ブレーキ１２は、ウェブロール支持軸１１にブレーキをかける。これにより、ウェブロール１６と後述するウェブ印刷装置３の搬送ローラ４４との間のウェブＷに張力が付与される。
【００２２】
巻出装置制御部１３は、ウェブＷの張力を調整するためにブレーキ１２のブレーキ力を制御する。巻出装置制御部１３は、ＣＰＵ、ＲＡＭ、ＲＯＭ、ハードディスク等を備えて構成される。
【００２３】
巻取装置４は、ウェブ印刷装置３で印刷されたウェブＷを巻き取る。巻取装置４は、巻取軸１０１と、巻取モータ１０２と、巻取装置制御部１０３とを備える。
【００２４】
巻取軸１０１は、ウェブＷを巻き取って保持する。巻取軸１０１は、前後方向に延びる長尺状に形成されている。
【００２５】
巻取モータ１０２は、巻取軸１０１を図１における時計回りに回転させる。巻取軸１０１の回転により、ウェブＷが巻取軸１０１に巻き取られる。
【００２６】
巻取装置制御部１０３は、巻取モータ１０２の駆動を制御する。巻取装置制御部１０３は、ＣＰＵ、ＲＡＭ、ＲＯＭ、ハードディスク等を備えて構成される。
【００２７】
ウェブ印刷装置３は、巻出装置２から巻き出されたウェブＷを搬送しつつ、印刷ジョブに基づいてウェブＷに画像を印刷する。ウェブ印刷装置３は、筐体２１と、搬送部２２と、第１印刷部２３と、第２印刷部２４と、印刷装置制御部２５と、操作パネル２６とを備える。
【００２８】
筐体２１は、ウェブ印刷装置３の各部を収容する。
【００２９】
搬送部２２は、巻出装置２から巻き出されたウェブＷを搬送する。搬送部２２は、ガイドローラ３１〜４０と、２０本のヘッド下支持部材４１と、蛇行ローラ４２と、エンコーダ４３と、一対の搬送ローラ４４と、搬送モータ４５とを備える。
【００３０】
ガイドローラ３１〜４０は、筐体２１内で搬送されるウェブＷをガイドする。ガイドローラ３１〜４０、ヘッド下支持部材４１、蛇行ローラ４２、搬送ローラ４４により、筐体２１内におけるウェブＷの搬送経路が形成される。ガイドローラ３１〜４０は、搬送されるウェブＷに従動回転する。ガイドローラ３１〜４０は、前後方向に延びる長尺状に形成されている。
【００３１】
ガイドローラ３１，３２は、巻出装置２と後述する蛇行ローラ４２との間でウェブＷをガイドする。ガイドローラ３１は、ウェブ印刷装置３の下部において、筐体２１の左側面近傍に配置されている。ガイドローラ３２は、ガイドローラ３１と蛇行ローラ４２との間に配置されている。
【００３２】
ガイドローラ３３〜３９は、蛇行ローラ４２と搬送ローラ４４との間でウェブＷをガイドする。ガイドローラ３３は、蛇行ローラ４２の左方に配置されている。ガイドローラ３４は、ガイドローラ３３の上方に配置されている。ガイドローラ３５は、ガイドローラ３４と同じ高さで、ガイドローラ３４の右方に配置されている。ガイドローラ３６は、ガイドローラ３５の下方であって、ガイドローラ３３より高い位置に配置されている。ガイドローラ３７は、ガイドローラ３６の左方であって、ガイドローラ３３，３４間のウェブＷの右側近傍であり、ガイドローラ３６とほぼ同じ高さである位置に配置されている。ガイドローラ３８は、ガイドローラ３７の右下方に配置されている。ガイドローラ３９は、ガイドローラ３８のやや右側の下方に配置されている。
【００３３】
ガイドローラ４０は、搬送ローラ４４と巻取装置４との間でウェブＷをガイドする。ガイドローラ４０は、ウェブ印刷装置３の下部において、筐体２１の右側面近傍に配置されている。
【００３４】
ヘッド下支持部材４１は、第１印刷部２３の直下および第２印刷部２４の直下においてウェブＷを支持する。ヘッド下支持部材４１は、前後方向に延びる長尺状に形成されている。第１印刷部２３の直下であるガイドローラ３４，３５間、および、第２印刷部２４の直下であるガイドローラ３６，３７間に、それぞれ１０本ずつのヘッド下支持部材４１が配置されている。そして、ヘッド下支持部材４１は、第１印刷部２３の直下であるガイドローラ３４，３５間、および、第２印刷部２４の直下であるガイドローラ３６，３７間において、各印刷ユニット５１の直下に２本ずつ配置されている。
【００３５】
ガイドローラ３４，３５間およびガイドローラ３６，３７間のそれぞれにおいて、１０本のヘッド下支持部材４１は、上に凸のアーチを描くように配置されている。これにより、ガイドローラ３４，３５間およびガイドローラ３６，３７間において、ウェブＷが張った状態となり安定した姿勢に保たれる。
【００３６】
蛇行ローラ４２は、ウェブＷの蛇行を修正するものである。蛇行ローラ４２は、前後方向に延びる長尺状に形成されている。
【００３７】
エンコーダ４３は、ガイドローラ３４に接続され、ガイドローラ３４の所定の回転角度ごとにパルス信号を出力する。エンコーダ４３の出力パルス信号は、ウェブＷの搬送速度制御やウェブの残量の算出に用いられる。
【００３８】
一対の搬送ローラ４４は、ウェブＷをニップしつつ、巻取装置４へ向けてウェブＷを搬送する。一対の搬送ローラ４４は、ガイドローラ３９，４０間に配置されている。
【００３９】
搬送モータ４５は、搬送ローラ４４を回転駆動させる。
【００４０】
第１印刷部２３は、ウェブＷのおもて面に画像を印刷する。第１印刷部２３は、ガイドローラ３４，３５間のウェブＷの上方に配置されている。第１印刷部２３は、５つの印刷ユニット５１を備える。５つの印刷ユニット５１は、相互に異なる色のインクを吐出する。各印刷ユニット５１は、吐出するインクの色が異なる以外は、同じ構成を有する。
【００４１】
第２印刷部２４は、ウェブＷのうら面に画像を印刷する。第２印刷部２４は、ガイドローラ３６，３７間のウェブＷの上方に配置されている。第２印刷部２４は、第１印刷部２３と同様に、相互に異なる色のインクを吐出する５つの印刷ユニット５１を備える。
【００４２】
ウェブ印刷装置３の筐体２１上面には、操作パネル２６が設けられる。操作パネル２６は、各種の操作キーやテンキーなどの入力部２６Ａの他、タッチパネル式の表示部２６Ｂを備える。操作パネル２６は、主にユーザが操作するもので、印刷の開始操作・停止操作や動作の諸条件などの設定に用いられる。例えば、ユーザが印刷の停止操作を行うと、操作パネル２６は、停止信号を受け付け、停止信号を印刷装置制御部２５に供給する。
【００４３】
印刷装置制御部２５は、ウェブ印刷装置３の各部の動作を制御する。印刷装置制御部２５は、ＣＰＵ、ＲＡＭ、ＲＯＭ、ハードディスク等を備えて構成される。ハードディスクには、予め、印刷を継続するか否かの判定に用いられる設定値が記憶されている。この設定値は、例えば、“１０”枚などというように予め設定されている。これは、ユーザが停止操作を行った場合であっても印刷を継続してもよいと考える上限枚数である。例えば、印刷ジョブの残枚数が１０枚以下である場合には、そのまま印刷を継続し、印刷ジョブが完了した時点で印刷終了すればよいとユーザが考えている場合に、“１０”枚と設定される。そのため、この設定値はユーザ毎に設定することもできる。
【００４４】
印刷装置制御部２５は、印刷を行う際、搬送モータ４５により搬送ローラ４４を回転駆動させてウェブＷを搬送させつつ、第１および第２印刷部２３，２４の各インクジェットヘッドからインクを吐出させてウェブＷに画像を印刷させる。
【００４５】
また、印刷装置制御部２５は、操作パネル２６から停止信号を受け付けたときに、現在印刷中の印刷ジョブの終了まで、巻出装置２によるウェブＷの巻出と、搬送部２２によるウェブＷの搬送と、巻取装置４によるウェブＷの巻取と、第１および第２印刷部２３，２４による印刷を継続する。
【００４６】
図３（ａ）は、比較のために、従来技術において、ユーザ操作による停止信号を受け付けた場合の搬送および印刷動作を示した図であり、図３（ｂ）は、従来技術において、ユーザ操作による停止信号を受け付けた場合のウェブの状態を示した図である。
【００４７】
図３（ａ）に示すように、ここでは、印刷ジョブに含まれる画像データＤ１〜Ｄ１０に基づいて、印刷を行うとする。
【００４８】
従来技術は、まず、ｔ１時点にウェブＷの搬送を開始させ、ｔ２時点に印刷可能な搬送速度まで上昇すると、画像データＤ１に基づいて印刷を開始する。その後は、順次、画像データＤ１〜Ｄ５の画像データに基づいて印刷を継続している。
【００４９】
ｔ３時点において、ユーザ操作による停止信号を受け付ける。このとき、画像データＤ５の画像データに基づいて印刷中である。
【００５０】
そのため、従来技術では、画像データＤ５の画像データに基づいた印刷を途中で停止し、ｔ３時点から搬送の停止処理を開始している。具体的には、ｔ３時点から搬送速度を減速していき、ｔ４時点において完全に搬送が停止している。
【００５１】
その後、ｔ５時点において、ユーザ操作による印刷開始信号を受け付けると、ウェブＷの搬送を開始させる。ｔ６時点に印刷可能な搬送速度まで上昇すると、画像データＤ５に基づいて印刷を開始する。
【００５２】
そして、ｔ７時点において、画像データＤ１０に基づいた印刷が終了すると、印刷ジョブに含まれる全ての画像データの印刷が終了したことになるので、搬送の停止処理を開始している。ｔ８時点において完全に搬送が停止している。
【００５３】
このような動作により、画像データＤ１〜Ｄ１０に基づいた印刷を行うと、図３（ｂ）に示すような印刷物が出来上がる。
【００５４】
図３（ｂ）に示すように、印刷物Ｐ１〜Ｐ４までは、適切に印刷されている。しかしながら、印刷物Ｐ５１は、途中で印刷停止されたため画像データＤ５の一部しか印刷されていない。
【００５５】
そして、上述したように、搬送停止処理中であるｔ３時点からｔ４時点までの間はウェブＷが搬送されているので、印刷物Ｐ５２は白紙のまま排紙されている。さらに、搬送開始処理中であるｔ５時点からｔ６時点までの間もウェブＷが搬送されているので、印刷物Ｐ５３も白紙のまま排紙されている。
【００５６】
印刷物Ｐ５４は、再度画像データＤ５に基づいて印刷が行われており、その後も、順次、画像データＤ６〜Ｄ１０に基づいて印刷が行われる。
【００５７】
すなわち、印刷物Ｐ５１〜印刷物Ｐ５３は、適切な印刷物ではないので、これらが損紙となる。
【００５８】
図４（ａ）は、本発明の第１実施形態に係る印刷システム１において、ユーザ操作による停止信号を受け付けた場合の搬送および印刷動作を示した図であり、図４（ｂ）は、本発明の第１実施形態に係る印刷システム１において、ユーザ操作による停止信号を受け付けた場合のウェブの状態を示した図である。
【００５９】
図４（ａ）に示すように、図３の例と同様に、印刷ジョブに含まれる画像データＤ１〜Ｄ１０に基づいて、印刷を行うとする。
【００６０】
印刷装置制御部２５は、まず、ｔ１１時点に搬送部２２にウェブＷの搬送を開始させ、ｔ１２時点に印刷可能な搬送速度まで上昇すると、画像データＤ１に基づいて印刷を開始する。その後は、順次、画像データＤ１〜Ｄ１０の画像データに基づいて印刷を継続している。
【００６１】
ｔ１３時点において、ユーザ操作による停止信号を受け付ける。このとき、印刷装置制御部２５は、画像データＤ５の画像データに基づいて印刷中である。
【００６２】
しかしながら、印刷装置制御部２５は、現在印刷中の印刷ジョブの終了まで、巻出装置２によるウェブＷの巻出と、搬送部２２によるウェブＷの搬送と、巻取装置４によるウェブＷの巻取と、第１および第２印刷部２３，２４による印刷を継続する。
【００６３】
そのため、ｔ１３時点では搬送が停止されることなく、ｔ１７時点まで印刷が継続される。
【００６４】
そして、ｔ１７時点において、画像データＤ１０に基づいた印刷が終了すると、印刷ジョブに含まれる全ての画像データの印刷が終了したことになるので、搬送部２２による搬送の停止処理を開始している。ｔ１８時点において完全に搬送が停止している。
【００６５】
本発明の第１実施形態に係る印刷システム１では、このようにして画像データＤ１〜Ｄ１０に基づいた印刷を行うので、図４（ｂ）に示すような印刷物を得ることができる。
【００６６】
図４（ｂ）に示すように、ｔ１３時点でも搬送および印刷が停止することないので、印刷物Ｐ１〜Ｐ１０までの間、損紙を発生することのない連続的に印刷された印刷物を得ることができる。
【００６７】
次に、本発明の第１実施形態に係る印刷システム１の作用について説明する。
【００６８】
図５は、本発明の第１実施形態に係る印刷システム１の処理内容を示したフローチャートである。
【００６９】
図５に示すように、搬送が開始され（ステップＳ１０１）、印刷が開始された後に（ステップＳ１０３）、操作パネル２６上の停止ボタンが押下操作されると（ステップＳ１０５；ＹＥＳ）、印刷装置制御部２５は、実行中の印刷ジョブの残枚数が設定値以下か否かを判定する（ステップＳ１０７）。
【００７０】
実行中の印刷ジョブの残枚数が設定値を超えていると判定された場合（ステップＳ１０７；ＮＯ）、ユーザが印刷の継続を許容する枚数を超えていることになる。
【００７１】
そこで、印刷装置制御部２５は、直ちに、印刷を停止し（ステップＳ１１３）、搬送を停止する（ステップＳ１１５）。
【００７２】
一方、実行中の印刷ジョブの残枚数が設定値以下と判定された場合（ステップＳ１０７；ＹＥＳ）、印刷ジョブの残枚数が、ユーザが印刷の継続を許容する枚数以下であるので、ユーザは、損紙を低減するため、現在実行中の印刷ジョブが終了するまで印刷を継続することを望んでいると推測できる。
【００７３】
そこで、印刷装置制御部２５は、印刷ジョブが終了するまで（ステップＳ１１１；ＹＥＳ）、印刷を継続する（ステップＳ１０９）。
【００７４】
これにより、ユーザ操作による停止信号を受け付けた場合であっても、印刷を継続するので、一部しか印刷されていないウェブＷ、搬送停止処理中に搬送されたウェブＷ、および搬送開始処理中に搬送されたウェブＷを、損紙として無駄にすることを防止できる。
【００７５】
なお、本発明の第１実施形態では、上述したステップＳ１０７の処理を実行したが、この処理は省略してもよい。
【００７６】
＜第２実施形態＞
本発明の第１実施形態では、操作パネル２６から停止信号を受け付けたときに、実行中の印刷ジョブの残枚数が設定値以下の場合に、搬送と印刷を継続する印刷システム１を例に挙げて説明した。
【００７７】
本発明の第２実施形態では、操作パネル２６から停止信号を受け付けたときに、ウェブおよび消耗剤であるインクの残量で現在実行中の印刷ジョブを印刷可能な場合に、搬送と印刷を継続する印刷システム１を例に挙げて説明する。
【００７８】
図６は、本発明の第２実施形態に係る印刷システム１の処理内容を示したフローチャートである。なお、本発明の第２実施形態に係る印刷システム１の構成については、図１、図２に示した本発明の第１実施形態に係る印刷システム１の構成と同一であるので、説明を省略する。
【００７９】
図６に示したフローチャートのうち、図５に示したフローチャートと異なるステップＳ２０１〜Ｓ２０３について説明する。その他の処理は同一であるので説明を省略する。
【００８０】
操作パネル２６上の停止ボタンが押下操作されると（ステップＳ１０５；ＹＥＳ）、印刷ジョブに基づいて、印刷装置制御部２５は、第１印刷部２３、第２印刷部２４の印刷ユニット５１に残っているインク量（インク残量）で、印刷ジョブの最終ページまで印刷可能か否かを判定する（ステップＳ２０１）。なお、インク残量は、印刷ユニット５１に搭載されたＩＣチップから読み込むようにしてもよいし、印刷装置制御部２５内のＲＡＭに記憶されたインク残量を読み込むようにしてもよい。
【００８１】
現在のインク残量では、印刷ジョブの最終ページまで印刷不可と判定された場合（ステップＳ２０１；ＮＯ）、印刷ジョブの途中で印刷を停止する必要がある。
【００８２】
そこで、印刷装置制御部２５は、直ちに、印刷を停止し（ステップＳ１１３）、搬送を停止する（ステップＳ１１５）。
【００８３】
一方、現在のインク残量で、印刷ジョブの最終ページまで印刷可能と判定された場合（ステップＳ２０１；ＹＥＳ）、印刷ジョブに基づいて、印刷装置制御部２５は、巻出装置２に残っているウェブＷ（ウェブ残量）で、印刷ジョブの最終ページまで印刷可能か否かを判定する（ステップＳ２０３）。なお、ウェブ残量は、巻出装置２のエンコーダ１４からの出力パルス信号に基づいて随時算出され、印刷装置制御部２５内のＲＡＭに記憶されてる。そのため、印刷装置制御部２５は、ＲＡＭに記憶したウェブ残量を読み込むようにすればよい。
【００８４】
現在のウェブ残量では、印刷ジョブの最終ページまで印刷不可と判定された場合（ステップＳ２０３；ＮＯ）、印刷ジョブの途中で印刷を停止する必要がある。
【００８５】
そこで、印刷装置制御部２５は、直ちに、印刷を停止し（ステップＳ１１３）、搬送を停止する（ステップＳ１１５）。
【００８６】
一方、現在のウェブ残量で、印刷ジョブの最終ページまで印刷可能と判定された場合（ステップＳ２０３；ＹＥＳ）、ステップＳ１０９へ処理を移行する。
【００８７】
以上のように、本発明の第２実施形態に係る印刷システム１では、印刷装置制御部２５が、ウェブおよびインクの残量を取得し、取得した残量（インク残量およびウェブ残量）に基づいて、残量で現在印刷中の印刷ジョブを印刷完了可能な場合に、現在印刷中の印刷ジョブの終了まで搬送部２２による搬送と、第１印刷部２３および第２印刷部２４による印刷とを継続する。
【００８８】
そのため、印刷ジョブが終了するまで印刷可能な状態が継続する場合のみ、搬送および印刷を継続するので、印刷途中においてインク切れやウェブ切れで印刷が停止することはない。これにより、より損紙を低減してより適切に印刷を継続することができるので、よりウェブＷを損紙として無駄にすることを防止できる。
【００８９】
＜第３実施形態＞
本発明の第１実施形態では、操作パネル２６から停止信号を受け付けたときに、現在印刷中の印刷ジョブの終了まで搬送と印刷を継続する印刷システム１を例に挙げて説明した。
【００９０】
本発明の第３実施形態では、第１印刷部２３および第２印刷部２４により印刷ジョブに含まれる画像データの最終ページの印字領域の印刷が完了すると、直ちに搬送部２２による搬送の停止処理を開始する印刷システム１を例に挙げて説明する。
【００９１】
図７（ａ）は、本発明の第３実施形態に係る印刷システム１において、印刷ジョブが終了したときの画像データを示しており、図７（ｂ）は、印刷ジョブが終了したときの搬送速度を示している。
【００９２】
図７（ａ），（ｂ）に示すように、印刷ジョブに含まれる画像データＤ１〜Ｄ１０に基づいて、印刷を行うとする。ここで、Ｄ１０は印刷ジョブの最終ページである。Ｄ１０は、印刷される領域（印字領域）Ｄ１１と、印刷されない領域（非印字領域）Ｄ１２とを含んでいる。
【００９３】
ここで、画像データＤ１０全体の印刷が終了したｔ１７時点において、搬送部２２による搬送の停止処理を開始すると、ｔ１８時点において完全に搬送が停止する。
【００９４】
しかしながら、非印字領域Ｄ１２は印刷されないので、印字領域Ｄ１１に基づいて印刷が終了したｔ２７時点で搬送部２２による搬送の停止処理を開始することができる。ｔ２７時点において、搬送部２２による搬送の停止処理を開始すると、ｔ２８時点において完全に搬送が停止する。
【００９５】
そのため、ｔ１８時点より、Ｔ１だけ終了の時間を短縮したｔ２８時点で完全に搬送を停止することができる。
【００９６】
＜第４実施形態＞
本発明の第３実施形態では、画像データの最終ページの印字領域の印刷が完了すると、直ちに搬送部２２による搬送の停止処理を開始する印刷システム１を例に挙げて説明した。
【００９７】
本発明の第４実施形態では、搬送部２２による搬送の減速中も印刷する印刷システム１を例に挙げて説明する。
【００９８】
印刷装置制御部２５は、印刷ジョブに含まれる画像データの最終ページの印字領域の印刷が完了したときに搬送部２２による搬送速度がゼロとなるように、搬送部２２によるウェブＷの搬送が減速し始めてから搬送停止するまでの間、搬送部２２の減速に応じて第１印刷部２３および第２印刷部２４に印刷を継続させる。
【００９９】
ここで、ウェブＷの搬送速度を減速しながら印刷すると、画質が悪くなることが懸念される。
【０１００】
そのため、画像劣化を防止するために、減速中の印刷処理として、例えば、搬送部２２による搬送速度の減速率を緩やかにしたり、搬送部２２による搬送速度に応じた吐出のタイミングを制御する。これにより、画像品質の劣化を防止することができる。
【０１０１】
本発明の各実施形態では、インクジェットヘッドからインクを吐出させて搬送されるウェブＷに画像を印刷させるインクジェット方式のウェブ印刷装置を例に挙げて説明したが、印刷方式はインクジェット方式に限らず、レーザ方式や孔版印刷方式等の印刷装置であってもよい。レーザ方式のウェブ印刷装置の場合、消耗材としてインクの替わりにトナーが用いられる。すなわち、消耗材はウェブに印字可能なものであればよい。
【０１０２】
（付記）
本出願は、以下の発明を開示する。
【０１０３】
（付記１）
長尺状のウェブを印刷媒体として搬送する搬送手段と、
印刷ジョブに含まれる画像データに基づいて、前記搬送手段により搬送されるウェブに対して印字することにより連続的に画像を印刷する印刷手段と、
ユーザ操作による停止信号を受け付ける信号受付手段と、
前記信号受付手段により停止信号を受け付けたときに、現在印刷中の前記印刷ジョブの終了まで前記搬送手段による搬送および前記印刷手段による印刷を継続する印刷制御手段と、
を備えたことを特徴とするウェブ印刷装置。
【０１０４】
これにより、ユーザ操作による停止信号を受け付けた場合であっても、印刷を継続するので、一部しか印刷されていないウェブ、搬送停止処理中に搬送されたウェブ、および搬送開始処理中に搬送されたウェブを、損紙として無駄になることを防止できる。
【０１０５】
（付記２）
前記印刷制御手段は、
前記信号受付手段により停止信号を受け付けた時点における前記ウェブおよび消耗材の残量で前記印刷ジョブの終了まで印刷可能な場合に、現在印刷中の前記印刷ジョブの終了まで前記搬送手段による搬送および前記印刷手段による印刷を継続する
ことを特徴とする（付記１）記載のウェブ印刷装置。
【０１０６】
これにより、印刷ジョブが終了するまで印刷可能な状態が継続する場合のみ、搬送および印刷を継続するので、印刷途中においてインクやトナーなどの消耗材切れやウェブ切れで印刷が停止することはない。そのため、より損紙を低減してより適切に印刷を継続することができるので、よりウェブを損紙として無駄になることを防止できる。
【０１０７】
（付記３）
前記印刷制御手段は、
前記印刷手段により前記印刷ジョブに含まれる画像データの最終ページの印字領域の印刷が完了すると、前記搬送手段による搬送の停止処理を開始する
ことを特徴とする（付記１）または（付記２）記載のウェブ印刷装置。
【０１０８】
これにより、印刷完了までの時間を短縮することができる。
【０１０９】
（付記４）
前記印刷制御手段は、
前記印刷手段により前記印刷ジョブに含まれる画像データの最終ページの印字領域の印刷が完了したときに前記搬送手段による搬送速度がゼロとなるように、前記搬送手段による前記印刷媒体の搬送が減速し始めてから搬送停止するまでの間、前記搬送手段の減速に応じて前記印刷手段に印刷を継続させる
ことを特徴とする（付記１）または（付記２）に記載のウェブ印刷装置。
【０１１０】
これにより、搬送の減速中も印刷するので、印刷完了までの時間をより短縮することができる。
【符号の説明】
【０１１１】
１  印刷システム
２  巻出装置
３  ウェブ印刷装置
４  巻取装置
１１  ウェブロール支持軸
１２  ブレーキ
１３  巻出装置制御部
１４，４３  エンコーダ
１６  ウェブロール
２１  筐体
２２  搬送部
２３  第１印刷部
２４  第２印刷部
２５  印刷装置制御部
２６  操作パネル
２６Ａ  入力部
２６Ｂ  表示部
３１〜４０  ガイドローラ
４１  ヘッド下支持部材
４２  蛇行ローラ
４４  搬送ローラ
４５  搬送モータ
５１  印刷ユニット
１０１  巻取軸
１０２  巻取モータ
１０３  巻取装置制御部
【図１】
2020049781.tif 000003
【図２】
2020049781.tif 000004
【図３】
2020049781.tif 000005
【図４】
2020049781.tif 000006
【図５】
2020049781.tif 000007
【図６】
2020049781.tif 000008
【図７】
2020049781.tif 000009